(57)【要約】【課題】  複数の居室親機幹線を備えたシステムにおける居室親機接続状態の定期点検を短時間に実施可能とする。【解決手段】  居室親機幹線１２が複数接続される制御機４の居室親機幹線接続部の夫々に、居室親機２から送られてくる応答コマンドを一時保存する受信バッファ６を設け、各居室親機幹線１２に接続された居室親機２から送られてくる応答コマンドを受信バッファ６に一時保存させた。こうすることで、ＣＰＵ５から各居室親機幹線１２に対して同時に点検コマンドを送信しても、居室親機２からの応答コマンドが受信バッファ６に一時保存され、受信コマンドが衝突することが無い。【選択図】  図１
2005244357.tif 000002
【特許請求の範囲】
【請求項１】
管理室に設置される管理室親機と、各住戸に設置される複数の居室親機と、集合玄関に設置される集合玄関機と、前記各機器の間のデータ信号の送受を制御する制御機とを備え、前記複数の居室親機はグループ分けされて、各グループ毎に独立した居室親機幹線を介して前記制御機に接続され、前記管理室親機は管理室親機幹線を介して前記制御機に接続され、前記集合玄関機は集合玄関機幹線を介して前記制御機に接続されてなる集合住宅インターホンシステムにおいて、
前記制御機は、前記各機器の接続状態を検査する点検コマンドを定期的に送信し、接続異常を検出したら前記管理室親機又は前記集合玄関機が警報を発報する制御を実施する点検制御手段と、前記居室親機幹線が接続される居室親機幹線接続部の夫々に、前記点検コマンドに対する応答コマンドを一時保存する受信バッファとを有し、
前記点検制御手段が、全ての前記居室親機幹線に対して前記点検コマンドを同時に送信しても、その応答コマンドを前記受信バッファが一時保存することで、応答コマンドのデータ衝突を防ぐことを特徴とする集合住宅インターホンシステム。
【請求項２】
前記居室親機幹線に接続異常があった場合に、接続異常とされた全ての前記居室親機に対して、前記制御機から即時に点検コマンドを送信する点検スイッチを前記管理室親機に設けたことを特徴とする請求項１記載の集合住宅インターホンシステム。
【請求項３】
前記居室親機は、前記点検コマンドを一定時間受信しない場合に、前記制御機と通信が不能であると判断して通信不能であることを表示するモニタを有することを特徴とする請求項１又は２記載の集合住宅インターホンシステム。
【請求項４】
前記居室親機は、前記点検コマンドに対する応答以外に、前記制御機から呼出コマンドや通話コマンド等の通常コマンドを受信した際にも、その応答コマンド内に居室親機の接続状態を検査した点検データを含めて応答することを特徴とする請求項１乃至３の何れかに記載の集合住宅インターホンシステム。
【発明の詳細な説明】
【技術分野】
【０００１】
本発明は、集合住宅インターホンシステムに関し、特に各機器の接続が正常かどうか定期点検を実施する集合住宅インターホンシステムに関する。
【背景技術】
【０００２】
従来より、集合住宅インターホンシステムは、各住戸に設置される居室親機と、集合住宅のエントランスに設置される集合玄関機と、管理室に設置される管理室親機と、それらの間の信号伝送を制御する制御機とを備えている。図４はそのような従来の集合住宅インターホンシステムの一例を示している。
図４において、３１は管理室親機、３２・・は居室親機、３３は集合玄関機、３４は制御機であり、管理室親機３１は管理室親機幹線３５により制御機３４に接続され、居室親機３２は複数の居室親機幹線３６，・・を介して制御機３４に接続され、集合玄関機３３は集合玄関機幹線３７を介して制御機３４に接続されている。
【０００３】
このように構成された集合住宅インターホンシステムの場合、居室親機幹線の状態を点検する定期点検動作は次のように成される。ここで、制御機３４から伸びている複数の居室親機幹線３６を、第１から第８の８系統（３６ａ〜３６ｈ）とし、その夫々に複数の１００台の居室親機３２が接続されているとする。
まず、第１居室親機幹線３６ａに接続されている各居室親機３２，３２・・に制御機３４から点検コマンドが順次送信される。この点検コマンドを受信した居室親機３２は、点検コマンドに対する応答コマンドを制御機３４へ送信し、返信が成されたタイミングを置いて次の点検コマンドの送信が成される。こうして、制御機３４は、例えば点検コマンドを約１０秒間隔で送信され、第１居室親機幹線３６ａに１００台の居室親機３２が繋がれている場合は、第１居室親機幹線３６ａの定期点検は約１０００秒かけて実施される。そして、第１居室親機幹線３６ａの点検が終了したら、第２居室親機幹線３６ｂの点検に移り、同様の定期点検動作を実施する。こうして第８居室統幹線３６ｈまで順次点検を実施していた。
このようにポーリング方式により定期点検は実施され、この定期点検の形態としては、例えば特許文献１に記載がある。
【０００４】
【特許文献１】特開平９−２６１３７４号公報
【発明の開示】
【発明が解決しようとする課題】
【０００５】
このように、上記従来の定期点検動作は、数多く設置された居室親機３２に対しても１台毎に実施していたため、８系統すべての点検が終了するまでに単純に１台あたりの点検時間約１０秒に居室親機３２の設置台数を掛けた時間、この場合８００台であるため、８０００秒の時間を要して居室親機３２を点検していた。そのため、例えば定期点検後に断線等が発生した場合は、その接続異常を発見するに至るまで２時間以上の時間を要することになった。これでは、断線等の異常を居室親機が検知して居室内で警報発報が行われた場合などに対応できず、折角定期点検動作するシステムであっても、保守性・安全性を大きく向上させることができなかった。
【０００６】
そこで、本発明はこのような問題点を解決する為に成されたもので、複数の居室親機幹線を備えたシステムにおける居室親機の定期点検を短時間で実施できる集合住宅インターホンシステムを提供することを目的とする。
【課題を解決するための手段】
【０００７】
上記課題を解決するため、請求項１に記載の発明は、管理室に設置される管理室親機と、各住戸に設置される複数の居室親機と、集合玄関に設置される集合玄関機と、各機器の間のデータ信号の送受を制御する制御機とを備え、複数の居室親機はグループ分けされて、各グループ毎に独立した居室親機幹線を介して制御機に接続され、管理室親機は管理室親機幹線を介して制御機に接続され、集合玄関機は集合玄関機幹線を介して制御機に接続されてなる集合住宅インターホンシステムにおいて、制御機は、各機器の接続状態を検査する点検コマンドを定期的に送信し、接続異常を検出したら管理室親機又は集合玄関機が警報を発報する制御を実施する点検制御手段と、居室親機幹線が接続される居室親機幹線接続部の夫々に、点検コマンドに対する応答コマンドを一時保存する受信バッファとを有し、点検制御手段が、全ての居室親機幹線に対して点検コマンドを同時に送信しても、その応答コマンドを受信バッファが一時保存することで、応答コマンドのデータ衝突を防ぐことを特徴とする。
この構成により、制御機から伸びた居室親機幹線数と同数の居室親機に対して同時に点検コマンドを送信してもデータの衝突を生ずることなく良好な形でその応答コマンドを受信することが可能となり、定期点検が一巡する時間を短縮できる。その結果、早期の異常検出が可能となる。
【０００８】
請求項２の発明は、請求項１に記載の発明において、居室親機幹線に接続異常があった場合に、接続異常とされた全ての居室親機に対して、制御機から即時に点検コマンドを送信する点検スイッチを管理室親機に設けたことを特徴とする。
この構成により、異常箇所を修正後、点検スイッチを操作することで速やかに復旧を確認でき、保守作業を効率的に実施できる。
【０００９】
請求項３の発明は、請求項１又は２に記載の発明において、居室親機は、点検コマンドを一定時間受信しない場合に、制御機と通信が不能であると判断して通信不能であることを表示するモニタを有することを特徴とする。
この構成により、居室親機側でも異常発生を知ることができる。
【００１０】
請求項４の発明は、請求項１乃至３の何れかに記載の発明において、居室親機は、点検コマンドに対する応答以外に、制御機から呼出コマンドや通話コマンド等の通常コマンドを受信した際にも、その応答コマンド内に居室親機の接続状態を検査した点検データを含めて応答することを特徴とする。
この構成により、異常発生を更に効率的に検出できる。
【発明の効果】
【００１１】
本発明によれば、制御機から伸びた居室親機幹線数と同数の居室親機に対して同時に点検コマンドを送信してもデータの衝突を生ずることなく良好な形でその応答コマンドを受信することが可能となり、定期点検が一巡する時間を短縮できる。その結果、早期の異常検出が可能となる。
【発明を実施するための最良の形態】
【００１２】
以下、本発明を具体化した実施の形態を、図面に基づいて詳細に説明する。図１は本発明に係る集合住宅インターホンシステムの実施形態の一例を示し、そのブロック図を示している。図１において、１は管理室に設置される管理室親機、２は集合住宅の各住戸に設置される居室親機、３は集合玄関に設置される集合玄関機、４は前記各機器の間のデータ信号の送受を制御する制御機である。そして、管理室親機１は管理室親機幹線１１を介して制御機４に接続され、居室親機２は居室親機幹線１２を介して制御機４に接続され、集合玄関機３は集合玄関機幹線１３を介して制御機に接続されている。
【００１３】
但し、居室親機幹線１２は制御機４から複数本（ここでは第１〜第８の８系統）伸び、居室親機２は居室親機幹線１２（１２ａ〜１２ｈ）の系統毎にグループ分けされて制御機４に接続されている。例えば居室親機２を８００台備えている場合、各居室親機幹線１２（１２ａ〜１２ｈ）には１００台づつ接続される。１本の居室親機幹線２の長さ、或いは接続される居室親機２の台数には幹線の特性や信号容量から制限があり、接続する居室親機２の台数が多い場合は、このように複数の居室親機幹線１２が制御機４から伸びて夫々に居室親機２が接続される。
【００１４】
また、制御機４において、５は点検制御手段としてのＣＰＵ、６は居室親機２から居室親機幹線１２を介して送信されてくる応答コマンド等の信号を一時保管する受信バッファである。この受信バッファ６は各居室親機幹線１２の接続部に設けられ、制御機４のＣＰＵ５は受信バッファ６を介して各居室親機幹線１２と接続されている。
【００１５】
このように構成された集合住宅インターホンシステムは次のように定期点検動作を実施する。なお、第１〜第８居室親機幹線１２ａ・・１２ｈには夫々居室親機２が１００台づつ接続されているとし、説明の都合上第１居室親機幹線１２ａに接続された１００台の居室親機２には順に２−１００ａ〜２−１９９ａの符号を付与し、第２居室親機幹線１２ｂに接続された１００台の居室親機２には順に２−１００ｂ〜２−１９９ｂの符号を付与し、同様な形で第８居室親機幹線１２ｈに接続された１００台の居室親機には２−１００ｈ〜２−１９９ｈの符号を付与して説明する。
【００１６】
まず、居室親機幹線１２（１２ａ〜１２ｈ）に接続された各居室親機２に１から１００までの同一のＩＤが付与される。そして、ＣＰＵ５は全居室親機幹線１２に繋がれたＩＤ１を持つ居室親機、即ち図１に示された８台の居室親機２−１００ａ，２−１００ｂ，・・，２−１００ｈに対して同時に点検コマンドＳ１を送信する。ＩＤ１の居室親機２−１００ａ，２−１００ｂ，・・，２−１００ｈは、この点検コマンドＳ１を受信したら応答コマンドＳ２を制御機４に返す。制御機４は、応答コマンドＳ２を受信バッファ６にて受信し、受信バッファ６からＣＰＵ５に送信される。
このとき、ＣＰＵ５は、ほぼ同時のタイミングで８つの受信バッファ６、６・・６から応答コマンドＳ２を受けることになるが、全ての受信バッファ６からの受信コマンドＳ２が受信できるわけではなく、受信できなかった受信コマンドに対してデータの欠落が生じる。この場合、ＣＰＵ５が受信した受信バッファ６に対してはＣＰＵ５から受信したことを通知する応答があるが、欠落を生じた受信コマンドＳ２を送信した受信バッファ６に対しては、ＣＰＵ５から応答がない。この場合、受信バッファ６は応答コマンドＳ２を送れなかったと判断して応答コマンドＳ２を再送信する。こうして、ＩＤ１の居室親機２−１００ａ，２−１００ｂ，・・，２−１００ｈの全ての応答コマンドＳ２は、もれなくＣＰＵ５に受信される。
【００１７】
次に、ＩＤ１に点検コマンドＳ１を送信してから１０秒後に、ＩＤ２の居室親機２−１０１ａ，２−１０１ｂ，・・，２−１０１ｈに対して同時に点検コマンドＳ１を送信し、その応答コマンドＳ２を受信する。この場合も、同様にＣＰＵ５が受信した受信バッファ６に対してはＣＰＵ５から受信したことを通知する応答があるが、欠落を生じた受信コマンドＳ２を送信した受信バッファ６に対しては、ＣＰＵ５からの応答がない。この場合、受信バッファ６は応答コマンドＳ２を送れなかったと判断して応答コマンドＳ２を再送信する。こうして、ＩＤ２の居室親機２−１０１ａ，２−１０１ｂ，・・，２−１０１ｈの全ての応答コマンドＳ２は、もれなくＣＰＵ５に受信される。
このようなコマンドの送受信が繰り返されて、最初の点検コマンドＳ１の送信から１０００秒後にＩＤ１００の居室親機２−１９９ａ，２−１９９ｂ，・・，２−１９９ｈに点検コマンドＳ１が送信される。そして、定期点検動作中に異常箇所があったら、ＣＰＵ５は管理室親機１及び前記集合玄関機３に警報動作信号を出力し、管理室親機１及び前記集合玄関機３に異常発生を知らせるための発報動作をさせる。
【００１８】
このように、受信バッファを設けることで、居室親機幹線１２上でデータの衝突を生ずることなく良好な形でその応答コマンドを受信することができるので、制御機４から伸びている全ての居室親機幹線１２に対して同時に定期点検コマンドを送信して点検できる。その結果、居室親機が８００台接続されたシステムであっても、１００回の点検操作（１０００秒）で全居室の点検を終了でき、その１０秒後に最初のＩＤ１の定期点検に戻ることができる。こうして、１台毎に点検するのに比べ８分の１の時間で居室親機２の点検を一巡でき、その結果、早期の異常検出が可能となる。
【００１９】
また、図２は、管理室親機１の一例を示す外観図であり、２１はハンドセット、２２はテンキー選局ボタン、２３はスピーカ、２４は警報表示部を示している。そして、この管理室親機１のテンキー選局ボタン２２には、定期点検において異常とされた全ての居室親機に対して、即時に点検コマンドを送信する点検スイッチとしての機能が設けられ、例えばテンキー選局ボタン２２の中の特定の２つのボタンを押し続けることで、その送信動作が実施される。こうすることで、定期点検において異常とされた全ての居室親機に対して、即時に点検コマンドを送信して再点検を行うことができ、異常箇所を修正後、点検スイッチを操作することで速やかに復旧を確認でき、保守作業を効率的に実施できる。
更に、図３は居室親機２の一例を示す外観図であり、２６は居室親機モニタを示している。このようにモニタを有する居室親機にあっては、制御機４から送信される点検コマンドが一定時間受信されない場合、この居室親機モニタ２６に通信が不能であることを表示させても良い。そうすれば、居室親機側でも異常発生を知ることができる。
【００２０】
尚、上記実施形態は、居室親機幹線が８本の場合について説明したが、複数本であれば、その本数分点検コマンドを同時に送信できるので、個別に点検する形態に比べて定期点検時間を短縮できる。
また、上記定期点検による機器の接続状態の点検に加えて、呼出コマンド、通話コマンド等の通常コマンドを送信した場合にも、居室親機２からの応答コマンド内に接続状態の点検データを含ませることもでき、これにより、異常発生の更に効率的に検出が可能となる。
【図面の簡単な説明】
【００２１】
【図１】本発明の実施形態の一例を示す集合住宅インターホンシステムのブロック図である。
【図２】管理室親機の外観図である。
【図３】居室親機の外観図である。
【図４】従来の集合住宅インターホンシステムの一例を示すブロック図である。
【符号の説明】
【００２２】
１・・管理室親機、２・・居室親機、３・・集合玄関機、４・・制御機、５・・ＣＰＵ（点検制御手段）、６・・受信バッファ、１１・管理室親機幹線、１２・・居室親機幹線、１３・・集合玄関機幹線、２２・・テンキー選局ボタン（点検スイッチ）、２６・・居室親機モニタ。
【図１】
2005244357.tif 000003
【図２】
2005244357.tif 000004
【図３】
2005244357.tif 000005
【図４】
2005244357.tif 000006